(57)【要約】【課題】  ブロック玩具を構成するすべてのブロックに同時に図柄を絵付させる。【解決手段】  枠体内に、６面体から成る同じ大きさのブロックの絵付面を該枠体の上縁よりやや高く露出して縦横に配列したブロック集団の絵付面に一枚の熱転写用シートをのせ、前記複数のブロックの絵付面たる印刷面に一体として加熱押圧することにより、ブロック玩具を構成するすべてのブロックに同時に図柄をプリント圧着させること、並に、前記絵付面にシルク印刷法によりブロック玩具を構成するすべてのブロックに同時に図柄をプリントする。【選択図】  図２
2005211386.tif 000002
【特許請求の範囲】
【請求項１】
枠体内に、６面体から成る同じ大きさのブロックの絵付面を該枠体の上縁よりやや高く露出して縦横に配列したブロック集団の絵付面に一枚の熱転写用シートをのせ、前記複数のブロックの絵付面たる印刷面に一体として加熱押圧することにより、ブロック玩具を構成するすべてのブロックに同時に図柄をプリント圧着させることを特徴とするブロック玩具の図柄絵付方法。
【請求項２】
枠体内に、６面体から成る同じ大きさのブロックの絵付面を該枠体の上縁よりやや高く露出して縦横に配列したブロック集団の絵付面にシルク印刷法によりブロック玩具を構成するすべてのブロックに同時に図柄をプリントすることを特徴とするブロック玩具の図柄絵付方法。
【発明の詳細な説明】
【技術分野】
【０００１】
本発明は、６面体から成る同じ大きさの立方体に構成された複数のブロックを、所定の大きさの四方形の枠体中に、縦横に所定の行数で配列して６通りの表面変化が出来るブロック集団を形成できるようにするとともに、６通りに表面変化ができる前記ブロック集団のそれぞれ表面に、それぞれ異る所望の図柄が絵付されるように、前記ブロック集団を構成する各ブロックの各面に、
前記所望の図柄の分解図柄を形成したブロック玩具の図柄絵付方法に関する発明である。
【背景技術】
【０００２】
ブロック玩具は、ブロック玩具を構成する複数のブロックを所定の大きさの枠体中に、所定の行数に配列したブロック集団とするときは、そのブロック集団の各表面には各々所定の図柄が表示され、前記ブロック集団を構成する各ブロックのそれぞれの表面には、前記図柄の分解図柄が表示されるようになっている。
従来、ブロック玩具を構成する各ブロックの表面にそれぞれ所定の図柄の分断図柄を表示する方法としては、プラスチック製、木製、紙製等の各ブロックの表面にそれぞれ前記した所定の図柄の分解図柄を印刷したり、或は、分解図を印刷した紙を貼着する方法がとられていた。
従来技術として挙げられる前記の技術中に挙げられた各ブロック表面に直接印刷又は焼印を行う方法は、一個のブロックの対抗する２面に印刷した後、このブロックの向きを変えながら移送し他の対抗する２面に印刷する。
例えば、特公昭４０−２７０２１号公報に開示された「ブロック玩具の自動焼印装置」は、まずある２面に焼印を施し、続いて捩れ樋を通過する間に立体ブロックを９０度回転させ他の２面に焼印できるように順次連続工程によって自動的に焼印できるようにしたものである。しかしながら、この工程をそれまでのように不連続的に焼印又は印刷できたとしても、その工程中で立方ブロックの表面の正確な位置に焼印又は印刷することが至難であることは従来技術のもつ共通の欠点である。ここで焼印等の位置にずれが起きるとブロック玩具の図柄に不整合が生じることになる。
以上のように立体ブロックを１個ずつ印刷又は印刷紙の貼着を行う製法では、ブロック玩具を構成する立方ブロックの個数が多いと著しく手数がかかるという問題も併せもっており、解決が望まれていた。
【０００３】
また、透明のプラスチックのブロックの中に図柄を印刷した紙を立方体にして収納することによりブロックの表面から中の図柄が見えるようにしたものなどがあった。
しかし、透明プラスチックのブロック内に立方体に形成した印刷紙を収納して外から図柄が見えるようにする方法ではブロックを所定の行数に配列し、集団ブロックとしたときは、分解図柄の連続性に不自然さが生じ、かつ製造工程が複雑である。
その他特公昭５７−３８２６８号公報に開示された技術がある。
【特許文献１】特公昭４０−２７０２１号公報
【特許文献２】特公昭５７−３８２６８号公報
【発明の開示】
【発明が解決しようとする課題】
【０００４】
本発明の目的は、一回の印刷手段或は一枚の転写用シートによる転写手段で集団ブロックの各面に所望の図柄の絵付をして集団ブロックを構成する各ブロックの各面には、一回の印刷或は転写毎に所望の図柄の分解図柄の絵付を行うことができ、このブロックを以て所定の配列で集団ブロックとしたとき、所望の図柄となるように集団ブロックに表示される図柄の位置関係のずれを防止するブロック玩具の同時絵付方法を提供することにある。
【課題を解決するための手段】
【０００５】
枠体内に、６面体から成る同じ大きさのブロックの絵付面を該枠体の上縁よりやや高く露出して縦横に配列したブロック集団の絵付面に一枚の熱転写用シートをのせ、前記複数のブロックの絵付面たる印刷面に一体として加熱押圧することにより、ブロック玩具を構成するすべてのブロックに同時に図柄をプリント圧着させること、及び、枠体内に、６面体から成る同じ大きさのブロックの絵付面を該枠体の上縁よりやや高く露出して縦横に配列したブロック集団の絵付面にシルク印刷法によりブロック玩具を構成するすべてのブロックに同時に図柄をプリントするブロック玩具の図柄絵付方法。
【発明の効果】
【０００６】
本発明は以上のように構成されるから以下のような特有の効果が得られる。
即ち、上記した転写の手段も、シルク印刷による手段も一組のブロック玩具を構成するすべてのブロックの図柄表示が同時に行われ、ブロックの個数の多少にかかわりなく常に６回のプリント圧着ですべてのブロック１の全表面に図柄が表示される。
一枚の熱転写シート或は一回のシルク印刷で全てのブロックに同時に絵付をすることができるので、各ブロックの図柄間に位置関係のずれ、傾きなどが生じることによる図柄の不整合が一切生じない。さらに、ブロック間にできる谷に対応する部分には図柄の絵付がなされないので、このブロック玩具にでき上がる統一図柄は、谷に対応する部分の欠如がある。このため、ブロック玩具の配列の際に想像力の補完によって実現される。
このように知育玩具としての特製を本発明は発揮しうる。また更に、想像力を要求するための谷をつくる丸みはブロック玩具の安全性の向上にも効果が大なものである。
【実施例１】
【０００７】
図１は、ブロック玩具を構成する各ブロック１を枠体２の中に並べて収納した状態を示した縦断面である。この枠体２はブロック玩具の製造過程で用いるものである。この枠体は通常木製のものを用いるが、それに限らず販売・使用時に使う枠体、例えば紙製、或は、プラスチック製の枠体をそのまま使用しても差支えない。その枠体２内に配列する各ブロックの縦及び横の配列は販売・使用時と同じになるようなブロックの集団として並べなければならないことは勿論である。
【０００８】
このブロック１の角は危険を防止するため丸みが付けられて形成されているものがいあり、この構成とするときは、各ブロックの角面の各角面付近は曲面３として形成される。従って、この構成の各ブロックは互いに隣接するブロック１．１間には曲面３．３に挟まれた谷４ができる。
そして、ブロック１の角面の曲面３を除いた平面部は、番号５で示す絵付面とになる。枠体２内に全てのブロック１を収納したとき、絵付面５が枠体２の上縁２よりもやや高く露出するように枠体２の高さ（深さ）を定める。
【０００９】
図２は、ホットスタンプ台上に載せた枠体２に集団として配列したブロック１の絵付面５に図柄をプリントするために用いる熱転写用シート１０を載せた断面の一部を拡大したものである。
図中の１１は合成樹脂フィルム等の基材シートである。図中の１２は剥離剤層である。図中の１３は転写される図柄の印刷層である。図中の１４は図柄の印刷層をブロックの表面に転写する接着用インク層を示している。この熱転写用シート１０の構成は一般の熱転写に用いられる熱転写シートと同じであり、本件発明に特有のものではない。
熱転写用シート１０の大きさは、枠体２にブロック１を所定の配列に従った集団として全部を収納したときに、すべてのブロック１を覆う大きさであることは勿論である。この熱転写用シート１０の各層はグラビヤ印刷、オフセット印刷、シルク印刷等によって順次重ね刷りし、全体で一体に連続する所望の図柄を表示すればよい。
【００１０】
この熱転写用シート１０を以て、枠体２の中に所定の行数に配列して収納した集団ブロック１の表面に所望の図柄の絵付を行うには、集団ブロックの表面全体に熱転写用シート１０の接着用インク層１４の面を載せる。この状態で、熱転写手段であるホットスタンプを行う。
【００１１】
ホットスタンプ方式には種々の方式があるが、その一例を図２に示して説明する。
ホットスタンプ装置は、サーモスタットの外、種々の部材を配して複雑に構成されているが、加熱押圧板２０と押圧台２１を主要部材として構成されている。
その加熱押圧板２０は上に持ち上がっている状態ではサーモスタットを備えたヒータにより適切な温度に維持されている。
押圧台２１にはブロック１を所定の行数に配列し、これを以て集団ブロックを形成する枠体２が載せられており、その中の集団ブロックの絵付面上に熱転写用シート１０の接着用インク層１４が集団ブロックの絵付面に向い合わせにおかれる。
そして、加熱押圧板２０を降下させて押圧台２１上に載せられた枠体２中に配列された前記集団ブロック１の表面を押圧する。
これにより、熱転写用シート１０を加熱しながらブロック１の絵付面を押圧することになる。
加熱押圧板２０により熱転写用シート１０が加熱押圧されると熱転写用シート１０の接着用インク層１４が立方ブロック１の絵付面に融着し図柄の印刷層１３が接着用インク層１４と共に基材１１から剥離して図３に示すようにブロック１の絵付面５にプリント圧着される。このとき、ブロック間の谷に対応する位置の印刷層及び接着用インク層は転写すべき対象が存在しないので、基材に付着したまま残る。即ち、枠体の上縁に加熱押圧された部分は、周辺残余部として残り、ブロック間の谷に対応する部分は碁盤目状残余部として残るので、その分だけブロックにプリント表示された図柄が抜け落ちることになる。
【００１２】
ブロック１を枠体２内に所定の行数に配列した集団を形成する各々のブロックのひとつの絵付面にプリント圧着が行われれば、集団を形成する全部のブロックの上面に露出する絵付面を変えて前記したと同様にプリント圧着する。
【００１３】
このような作業を６回行うと一組のブロック玩具のブロックがすべて完成する。
【００１４】
前記した手段の別の手段として、シルク印刷手段で、枠体中に所定の行数に配列して形成した集団ブロックの表面に所定の図柄を印刷する手段がある。
これについては図解しないが、前記した集団ブロックの各面を、一般に行われているシルク印刷手段を以て、順次印刷する手段である。
【図面の簡単な説明】
【００１５】
【図１】枠体内にブロックを集団ブロックとして配列したときの断面図
【図２】ホットスタンプ装置に転写紙を重ねて、枠体内にブロックを集団ブロックとして配置した状態の断面図
【図３】ホットスタンプを完了したブロック玩具の平面図
【符号の説明】
【００１６】
１．ブロック
２．枠体
３．ブロックの曲面
４．ブロック集団を構成する各ブロック間の谷
５．ブロックの絵付面
１０．熱転写用シート
１１．基材
１２．剥離層
１３．印刷層
１４．接着用インク層
２０．加熱押圧板
２１．押圧台  
【図１】
2005211386.tif 000003
【図２】
2005211386.tif 000004
【図３】
2005211386.tif 000005